(57)【要約】【課題】  フォーカシングによる像面変動が小さく、レンズ群の保持機構や移動機構のガタによる性能劣化が少ない撮影レンズを提供する。【解決手段】  物体側より像側へ順に、負の屈折力の第１レンズ群、正の屈折力の第２レンズ群、絞り、正の屈折力の第３レンズ群より構成される撮影レンズであって、無限遠から至近距離へのフォーカシングに際して、第３レンズ群が物体側に移動し、第２レンズ群が像側に移動し、物体距離が最至近距離であるときの第２レンズ群の結像倍率を適切に設定したことを特徴とする。【選択図】  図１
2010191077.tif 000002
【特許請求の範囲】
【請求項１】
物体側より像側へ順に、負の屈折力の第１レンズ群、正の屈折力の第２レンズ群、絞り、正の屈折力の第３レンズ群より構成され、無限遠から至近距離へのフォーカシングに際して、前記第３レンズ群が物体側に移動し、前記第２レンズ群が像側に移動し、物体距離が最至近距離であるときの前記第２レンズ群の結像倍率をβ２Ｎとしたとき、
β２Ｎ＞１
なる条件を満足することを特徴とする撮影レンズ。
【請求項２】
フォーカシングのためにレンズ群を移動させる移動機構と、該レンズ群を保持する保持機構とが、該レンズ群の最も物体側のレンズ面よりも物体側で接続されていることを特徴とする請求項１に記載の撮影レンズ。
【請求項３】
前記第１レンズ群、前記第２レンズ群、前記第３レンズ群の焦点距離をそれぞれｆ１、ｆ２、ｆ３とし、全系の焦点距離をｆとし、前記第３レンズ群の最も像側のレンズ面から像面までの距離をｂｆとするとき、
ｂｆ／ｆ＞２．０
０．５＜│ｆ１／ｆ│＜２．０
２．０＜ｆ２／ｆ＜６．０
２．０＜│ｆ３／ｆ│＜６．０
なる条件式を満足することを特徴とする請求項１または２に記載の撮影レンズ。
【請求項４】
第３レンズ群の移動量に対する第２レンズ群の移動量が、無限遠よりも至近距離で大きいことを特徴とする請求項１乃至３のいずれか１項に記載の撮影レンズ。
【請求項５】
請求項１乃至４のいずれか１項に記載の撮影レンズを有することを特徴とする撮像装置。
【発明の詳細な説明】
【技術分野】
【０００１】
本発明は、フォーカシングに伴う像面変動が低減された撮影レンズに関する。
【背景技術】
【０００２】
一眼レフカメラに用いられる撮影レンズにおいては、カメラのミラーを配置するための空間を確保するために、比較的長いバックフォーカスが求められている。
【０００３】
絞りの物体側に負の屈折力の前群を配置すると共に、絞りの像側に正の屈折力の後群を配置した所謂レトロフォーカス型の撮影レンズにおいては、全系の後側主点位置を比較的像側に配置することができる。このため、レトロフォーカス型の撮影レンズによれば、比較的長いバックフォーカスが得られることが知られている（特許文献１、２）。
【０００４】
特許文献１、２の撮影レンズでは、正の屈折力の後群を物体側へ移動させることにより至近距離へのフォーカシングを行っている。しかしながら、負の屈折力の前群において、軸外光束の主光線の光軸からの高さ
【０００５】
【数１】
2010191077.tif 000003
【０００６】
がフォーカシングによって大きく変動するため、像面変動が大きくなりやすい。
【０００７】
至近距離へのフォーカシングに伴う像面変動を低減するために、複数のレンズ群を移動させてフォーカシングを行う撮影レンズが知られている。
【０００８】
特許文献３の撮影レンズでは、負の屈折力の前群と正の屈折力の後群を物体側へ移動させることにより、至近距離へのフォーカシングを行っている。
【０００９】
特許文献４の撮影レンズは、物体側より像側へ順に、負の屈折力の第１レンズ群、正の屈折力の第２レンズ群（第２レンズ群前群）、絞り、正の屈折力の第３レンズ群（第２レンズ群後群）より構成されている。そして、第１レンズ群をフォーカシングの際に不動とし、第２レンズ群と第３レンズ群を物体側へ移動させることにより、至近距離へのフォーカシングを行っている。
【先行技術文献】
【特許文献】
【００１０】
【特許文献１】特許第３７９９９１３号
【特許文献２】特開２００３−０２９１４１号公報
【特許文献３】特開昭６２−２９１６１３号公報
【特許文献４】特開平９−１１３７９８号公報
【発明の概要】
【発明が解決しようとする課題】
【００１１】
特許文献３の撮影レンズでは、正の屈折力の後群を物体側へ移動させると共に、負の屈折力の前群を物体側へ移動させることにより、前群における軸外光束の主光線が通過する高さ
【００１２】
【数２】
2010191077.tif 000004
【００１３】
をほぼ一定に保つことができる。これにより、フォーカシングに伴う像面変動を低減している。
【００１４】
しかしながら、負の屈折力の前群にはレンズ径の大きな負レンズが複数含まれるため、前群の重量が大きくなり、オートフォーカスの応答性が低下しやすい。
【００１５】
特許文献４の広角レンズは、第１レンズ群に比べて軽量である第２レンズ群と第３レンズ群を移動させてフォーカシングを行っている。しかしながら、第２レンズ群の結像倍率が等倍よりも小さいため、第２レンズ群を物体側に移動させて至近距離へのフォーカシングを行っている。したがって、第１レンズ群において、軸外光束の主光線が通過する高さ
【００１６】
【数３】
2010191077.tif 000005
【００１７】
が大きく変化してしまうため、像面変動を低減することが難しい。
【００１８】
本発明は、フォーカシングに伴う像面変動が小さな撮影レンズを提供することを目的としている。
【課題を解決するための手段】
【００１９】
本発明の撮影レンズは、物体側より像側へ順に、負の屈折力の第１レンズ群、正の屈折力の第２レンズ群、絞り、正の屈折力の第３レンズ群より構成され、無限遠から至近距離へのフォーカシングに際して、第３レンズ群が物体側に移動し、第２レンズ群が像側に移動し、物体距離が最至近距離であるときの第２レンズ群の結像倍率をβ２Ｎとしたとき、
β２Ｎ＞１
なる条件を満足することを特徴としている。
【発明の効果】
【００２０】
本発明によれば、フォーカシングによる像面変動が小さな撮影レンズが得られる。
【図面の簡単な説明】
【００２１】
【図１】本発明の実施例１の撮影レンズの断面図
【図２】本発明の実施例１の撮影レンズの収差図
【図３】本発明の実施例１の撮影レンズの保持機構の概略図
【図４】本発明の実施例２の撮影レンズの断面図
【図５】本発明の実施例２の撮影レンズの収差図
【図６】本発明の実施例２の撮影レンズの保持機構の概略図
【図７】本発明の実施例３の撮影レンズの断面図
【図８】本発明の実施例３の撮影レンズの収差図
【図９】本発明の実施例３の撮影レンズの保持機構の概略図
【図１０】本発明の撮像装置の要部概略図
【発明を実施するための形態】
【００２２】
以下に、本発明の撮影レンズ及びそれを有する撮像装置の実施例について説明する。
【００２３】
本発明の撮影レンズは、物体側より像側へ順に、負の屈折力の第１レンズ群、正の屈折力の第２レンズ群、絞り、正の屈折力の第３レンズ群を有している。
【００２４】
フォーカシングに際して各レンズ群と絞りが移動する撮影レンズである。
【００２５】
図１は、本発明の実施例１の撮影レンズのレンズ断面図である。図２は実施例１の撮影レンズの収差図である。図３は実施例１のレンズ群の移動機構と保持機構の概略図である。
【００２６】
図４は、本発明の実施例２の撮影レンズのレンズ断面図である。図５は実施例２の撮影レンズの収差図である。図６は実施例２のレンズ群の移動機構と保持機構の概略図である。
【００２７】
図７は、本発明の実施例３の撮影レンズのレンズ断面図である。図８は実施例３の撮影レンズの収差図である。図９は実施例３のレンズ群の移動機構と保持機構の概略図である。
【００２８】
図１０は、本発明の撮影レンズを用いた一眼レフカメラシステムの概略図である。
【００２９】
レンズ断面図において、左方が物体側（前方）で、右方が像側（後方）である。ｉは物体側からのレンズ群の順番を示し、Ｌｉは第ｉレンズ群である。
【００３０】
各実施例において、Ｌ１は負の屈折力（光学的パワー＝焦点距離の逆数）の第１レンズ群、Ｌ２は正の屈折力の第２レンズ群、Ｌ３は正の屈折力の第３レンズ群である。
【００３１】
ＳＰは開口絞りであり、第３レンズ群Ｌ３の物体側に配置されている。
【００３２】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３３】
各収差図は、左から順に、球面収差、非点収差、歪曲収差、倍率色収差を表している。
【００３４】
球面収差と倍率色収差を示す図において、実線はｄ線（５８７．６ｎｍ）、一点鎖線はＣ線（６５６．３ｎｍ）、破線はＦ線（４８６．１ｎｍ）、二点鎖線はｇ線（４３５．８ｎｍ）を表している。
【００３５】
また、非点収差を示す図において、実線はｄ線のサジタル像面、破線はｄ線のメリディオナル像面を表している。ωは半画角、ｆｎｏはＦナンバーである。歪曲収差を示す図は、ｄ線における歪曲収差を表している。
【００３６】
また、撮影レンズの保持機構の概略図において、レンズ群の移動機構をＣＲとし、第２レンズ群Ｌ２および第３レンズ群Ｌ３を収納する鏡筒をそれぞれＫ２、Ｋ３としている。また、第２レンズ群Ｌ２および第３レンズ群Ｌ３の保持部材をそれぞれＡ２、Ａ３としている。
【００３７】
各実施例では、無限遠から最至近距離へのフォーカシングに際して矢印のように各レンズ群及び開口絞りＳＰを移動させている。
【００３８】
具体的には、無限遠から最至近距離へのフォーカシングに際して、第１レンズ群Ｌ１は不動であり、第２レンズ群Ｌ２は像側に移動し、第３レンズ群Ｌ３が物体側に移動する。
【００３９】
そして、物体距離が最至近距離であるときの第２レンズ群の結像倍率β２Ｎを等倍よりも大きくすることで、第２レンズ群のフォーカス敏感度が高くなる構成としている。第２レンズ群のフォーカス敏感度を高くしたことにより、フォーカシング時の第２レンズ群の移動量を抑えることができる。このため、第１レンズ群において、軸外光束の主光線が通過する高さ
【００４０】
【数４】
2010191077.tif 000006
【００４１】
が大きく変動しない構成を実現することができる。
【００４２】
つまり、最至近距離における第２レンズ群Ｌ２の結像倍率をβ２Ｎとするとき、
β２Ｎ＞１      ・・・（１）
なる条件を満足している。
【００４３】
第２レンズ群Ｌ２の結像倍率が等倍よりも小さい場合、第２レンズ群Ｌ２を像側に移動させると、高いフォーカス敏感度を得ることができない。
【００４４】
また、正の屈折力の第３レンズ群を物体側へ移動させると共に、正の屈折力の第２レンズ群を像側へ移動させることにより、第１レンズ群における軸外光束の主光線が通過する高さ
【００４５】
【数５】
2010191077.tif 000007
【００４６】
をほぼ一定に保つことができるため、像面変動を低減することができる。
【００４７】
上記の構成により本発明の効果を得ることができるが、以下の要件を満足するのが更に望ましい。
【００４８】
本発明の各実施例では、フォーカシングのためにレンズ群を移動させるための移動機構と、各レンズ群を保持する保持機構とが各レンズ群の最も物体側のレンズ面よりも物体側で接続されている。
【００４９】
従来の撮影レンズにおいては、各レンズ群の保持機構と移動機構の接続部が、前群については前群の最も像側のレンズ面よりも像側に、後群については後群の最も物体側のレンズ面よりも物体側に配置されていた。このため、各レンズ群の自重による光軸の傾きが反対方向に生じ、各レンズ群の光軸の傾きによる像面変動が加算されてしまう結果、光学性能が低下しやすい構成であった。
【００５０】
本発明の各実施例の撮影レンズでは、絞りＳＰを挟んだ２つの正レンズ群について、軸外光束の主光線が通過する高さ
【００５１】
【数６】
2010191077.tif 000008
【００５２】
の符号が逆転する。そこで、レンズ群を保持する保持機構と移動機構の接続部を各レンズ群に対して同じ側（物体側）に配置することで、各レンズ群の自重による光軸の傾きを同方向に生じさせ、各レンズ群の倒れによる像面変動を相殺している。
【００５３】
また、本発明の各実施例の撮影レンズは、全系の焦点距離をｆ、各レンズ群の焦点距離をそれぞれｆ１、ｆ２、ｆ３、第３レンズ群の最も像側のレンズ面から像面までの距離をｂｆとしたとき、
２．０＜ｂｆ／ｆ＜５．５          ・・・（２）
０．５＜│ｆ１／ｆ│＜２．０      ・・・（３）
２．０＜ｆ２／ｆ＜６．０          ・・・（４）
２．０＜│ｆ３／ｆ│＜６．０      ・・・（５）
を満足している。
【００５４】
条件式（２）の上限値を超えると、各レンズ群の屈折力が大きくなり過ぎるため、歪曲収差を補正することが困難になる。
【００５５】
また、条件式（２）の下限値を超えると、第３レンズ群Ｌ３を軸上光束の周辺光線が通る高さｈが小さくなる。したがって、第２レンズ群Ｌ２の結像倍率を正にするために第３レンズ群Ｌ３の屈折力を大きくする必要があり、光学性能が低下してしまう。
【００５６】
条件式（３）の上限値を超えると、後側主点位置を像側に移動することができず、バックフォーカスを確保することが難しくなる。
【００５７】
また、条件式（３）の下限値を超えると、歪曲収差や像面湾曲が大きく発生してしまう。
【００５８】
条件式（４）の上限値を超えると、フォーカシング時の第２レンズ群Ｌ２の移動量が大きくなり、光学系が大型化してしまう。
【００５９】
また、条件式（４）の下限値を超えると、至近距離における、第１レンズ群Ｌ１を軸外光束の主光線が通過する高さ
【００６０】
【数７】
2010191077.tif 000009
【００６１】
が低くなり、光学性能が低下してしまう。
【００６２】
条件式（５）の上限値を逸脱すると、フォーカシング時の第３レンズ群Ｌ３の移動量が大きくなり、光学系が大型化してしまう。
【００６３】
また、条件式（５）の下限値を超えると、至近距離における第１レンズ群Ｌ１を軸外光束の主光線が通過する高さ
【００６４】
【数８】
2010191077.tif 000010
【００６５】
が大きくなり、性能が劣化してしまう。
【００６６】
これらの条件式は、より好ましくは以下を満たすと良い。
【００６７】
２．１＜ｂｆ／ｆ＜５．０          ・・・（２ａ）
０．６＜│ｆ１／ｆ│＜１．２      ・・・（３ａ）
２．１＜│ｆ２／ｆ│＜５．５      ・・・（４ａ）
２．１＜│ｆ３／ｆ│＜３．５      ・・・（５ａ）
本発明の撮影レンズにおいては、第３レンズ群Ｌ３の移動量に対する第２レンズ群Ｌ２の移動量が、無限遠側と至近距離側で異なることが望ましい。
【００６８】
第２レンズ群Ｌ２の移動量が第３レンズ群Ｌ３の移動量に対して同じ割合で移動する場合、中間距離領域での第１レンズ群Ｌ１を軸外光束の主光線が通過する高さ
【００６９】
【数９】
2010191077.tif 000011
【００７０】
が最適でなくなり、像面変動が生じてしまう。
【００７１】
特に、第３レンズ群Ｌ３の移動量に対する第２レンズ群Ｌ２の移動量を、実施例１及び３のように、無限遠よりも至近距離で大きくするのが良い。
【００７２】
これにより、第１レンズ群Ｌ１において、軸外光束の主光線が通過する高さ
【００７３】
【数１０】
2010191077.tif 000012
【００７４】
が変動することを更に抑制することができる。
【００７５】
数値実施例１〜３に、実施例１〜３の撮影レンズのレンズデータを示す。
【００７６】
これらの数値実施例では、拡大共役側からの各光学面の順序、各光学面の曲率半径ｒ、各光学面の間隔ｄ、ｄ線における各光学部材の屈折率ｎｄとアッベ数νｄ、光線有効径ｅａを示す。
【００７７】
また、「＊」が付された光学面は非球面である。
【００７８】
非球面は、光軸に垂直な方向にＲ離れた位置での、光軸方向の面位置をＳａｇ（Ｒ）とした時、
【００７９】
【数１１】
2010191077.tif 000013
【００８０】
の関係を満足する形状であり、各非球面の非球面係数を各表に記す。
【００８１】
非球面係数において、「Ｅ−Ｎ」は、「×１０−Ｎ」を示す。
【００８２】
また、ｆは焦点距離、ＦｎｏはＦナンバー、ωは半画角、Ｙ’は像高、Ｌはレンズ系の始面から終面までの長さ、ＢＦはレンズの最終面から像面までの長さを示している。
【００８３】
また、各光学面の間隔ｄが（可変）となっている部分は、フォーカシングに際して変化するものであり、別表に物体距離が無限遠、中間、最至近距離のときの面間隔を示す。
【００８４】
尚、以下に記載する数値実施例１〜３のレンズデータに基づく上述の各条件式の計算結果を表１に示す。
【００８５】
（数値実施例１）
面データ
面番号       r        d      nd         vd         ea
1         39.032    3.50   1.78472    25.7       65.15
2         27.725    6.93                         52.01
3         31.865    3.50   1.58313    59.4       49.96
4*        13.517   13.14                         37.29
5         91.868    2.20   1.49700    81.5       35.17
6         15.964    7.78                         25.45
7        107.797    7.29   1.65412    39.7       23.40
8        -19.345    1.40   1.83481    42.7       21.11
9         35.295    1.50                         18.74
10         44.257    6.95   1.65412    39.7       18.39
11        -13.418    1.00   1.77250    49.6       17.44
12        -62.398  (可変)                         16.76
13         48.270    8.00   1.74950    35.3       15.73
14        -73.913  (可変)                         14.78
15(絞り)    ∞       0.50                         13.87
16         33.082    2.88   1.59270    35.3       13.89
17        -68.298    0.70                         13.62
18       -159.710    1.00   1.83400    37.2       13.30
19         13.505    4.58   1.56732    42.8       12.87
20        -20.235    1.15                         12.86
21        -15.707    1.00   1.83400    37.2       12.51
22         92.413    0.15                         13.52
23         37.208    4.78   1.49700    81.5       14.14
24        -17.223    0.15                         15.80
25        323.333    1.20   1.83400    37.2       17.38
26         20.255    7.45   1.49700    81.5       18.57
27        -32.065    0.15                         21.17
28      -1491.679    1.75   1.80518    25.4       22.68
29       -136.318  (可変)                         
非球面データ
第4面
K =-6.04712e-001  A4= 2.34342e-007  A6=-5.84547e-008  A8= 2.31497e-010  A10=-8.25084e-013  
焦点距離      17.30 
Fナンバー      4.08
画角          59.35
像高          29.20
レンズ全長   149.89
BF            52.69
面間隔データ
物体距離       無限      850      250
d12            0.60     0.60     1.09  
d14            5.98     5.57     4.15  
d29           52.69    52.70    51.73  
レンズ群データ
群  始面    焦点距離  レンズ構成長  前側主点位置  後側主点位置
1    1     -12.06        55.18        18.70        -23.13
2   13      40.08         8.00         1.86         -2.85
3   15      51.74        27.43        16.90         -3.55
【００８６】
（数値実施例２）
面データ
面番号       r        d      nd         vd         ea
1          ∞       1.60                         72.09
2         52.438    3.80   1.58313    59.4       50.09
3*        13.780    7.50                         32.69
4         32.841    1.80   1.84666    23.8       32.31
5         17.276    7.09                         27.09
6        280.581    6.33   1.68893    31.1       26.65
7        -26.041    1.40   1.83400    37.2       25.77
8       -190.133    2.93                         24.85
9        -27.873    1.40   1.49700    81.5       24.61
10         64.649    0.16                         24.85
11         45.028    6.86   1.51633    64.1       25.09
12        -31.077  (可変)                         25.10
13        114.268    3.44   1.71736    29.5       20.64
14        -94.694  (可変)                         20.87
15(絞り)    ∞       0.05                         20.92
16         19.207    5.21   1.65412    39.7       20.93
17        544.261    0.50                         19.85
18         92.444    1.00   1.88300    40.8       19.11
19         12.142    7.13   1.51742    52.4       17.04
20        -33.287    0.86                         16.47
21        -21.599    0.90   1.83400    37.2       16.28
22         47.336    0.15                         16.47
23         28.073    5.47   1.49700    81.5       16.76
24        -23.879    0.15                         17.26
25        443.582    1.10   1.88300    40.8       18.22
26         19.175    6.66   1.49700    81.5       19.33
27        -40.453    0.15                         21.43
28        -92.418    1.58   1.84666    23.8       22.30
29        -57.612  (可変)                         
非球面データ
第3面
K =-8.32287e-001  A4= 1.23299e-005  A6=-1.78962e-008  A8= 2.37267e-010  A10=-7.22792e-013  A12= 9.89766e-016  
焦点距離      24.40    
Fナンバー      3.56 
画角          50.12    
像高          29.20    
レンズ全長   152.03  
BF            54.93   
面間隔データ
物体距離       無限     1200      210
d12            9.57    10.10    10.50  
d14           12.32    11.75     4.40  
d29           54.93    54.37    53.97  
レンズ群データ
群  始面    焦点距離  レンズ構成長  前側主点位置  後側主点位置
1    1     -23.74        40.87         3.98        -35.74
2   13      72.68         3.44         1.10         -0.91
3   15      70.34        30.90         7.71        -17.92
【００８７】
（数値実施例３）
面データ
面番号       r        d      nd         vd         ea
1         40.927    3.50   1.83400    37.2       63.10
2         25.540    6.64                         47.79
3         29.957    3.70   1.58313    59.4       46.04
4*        12.653   12.43                         35.39
5         39.594    1.40   1.49700    81.5       29.09
6         12.498    8.89                         21.62
7        -38.096    1.40   1.49700    81.5       20.42
8         18.312    1.43                         18.49
9         19.937    9.25   1.65412    39.7       18.51
10        -18.357    1.00   1.83400    37.2       16.55
11        -49.820  (可変)                         15.99
12         43.411    9.00   1.65412    39.7       14.54
13        -38.161    1.00   1.77250    49.6       11.32
14        861.364  (可変)                         11.01
15(絞り)    ∞       0.15                         10.16
16         19.404    3.10   1.53172    48.8       10.26
17        -60.494    0.63                         10.11
18        216.053    0.90   1.88300    40.8       10.20
19         10.665    6.23   1.58144    40.8       10.50
20         -9.177    0.80   1.83400    37.2       11.64
21        380.272    0.15                         13.53
22         34.807    5.39   1.49700    81.5       15.02
23        -15.013    0.15                         16.51
24        -84.060    1.20   1.88300    40.8       17.47
25         19.583    7.82   1.49700    81.5       18.82
26        -32.193    0.15                         21.71
27        110.597    2.15   1.78472    25.7       24.05
28       -379.543  (可変)                         
非球面データ
第4面
K =-9.28167e-001  A4= 3.48930e-006  A6= 1.30162e-008  A8=-5.43156e-011  A10=-6.51587e-013  A12= 1.11113e-015  
焦点距離      16.43 
Fナンバー      5.60
画角          60.64   
像高          29.20 
レンズ全長   149.26 
BF            53.93
面間隔データ
物体距離       無限      850      250
d11            0.60     0.63     1.25  
d14            6.27     5.78     3.35  
d28           53.93    54.01    53.90  
レンズ群データ
群  始面    焦点距離  レンズ構成長  前側主点位置  後側主点位置
1    1     -15.57        49.64        13.01        -32.44
2   12      87.70        10.00        -1.95         -7.79
3   15      42.18        28.82        13.87         -9.07
【００８８】
【表１】
2010191077.tif 000014
【００８９】
次に、本発明の撮影レンズを用いた一眼レフカメラシステムの実施例を図１０を用いて説明する。図１０において、１０は一眼レフカメラ本体、１１は本発明の撮影レンズを搭載した交換レンズである。
【００９０】
１２は交換レンズ１１を通して形成される被写体像を受光するフィルムや固体撮像素子などの記録手段である。１３は交換レンズ１１からの被写体像を観察するファインダー光学系である。
【００９１】
１４は交換レンズ１１からの被写体像を記録手段１２とファインダー光学系１３に切替えて伝送するための回動するクイックリターンミラーである。ファインダー被写体像を観察する場合は、クイックリターンミラー１４を介してピント板１５に結像した被写体像をペンタプリズム１６で正立像とした後、接眼光学系１７で拡大して観察する。
【００９２】
撮影時にはクイックリターンミラー１４が矢印方向に回動して被写体像は記録手段１２に結像して記録される。１８はサブミラー、１９は焦点検出装置である。
【００９３】
このように本発明の撮影レンズを一眼レフカメラ交換レンズ等の光学機器に適用することにより、高い光学性能を有した光学機器が実現できる。
【００９４】
尚、本発明はクイックリターンミラーのないＳＬＲ（Ｓｉｎｇｌｅ  Ｌｅｎｓ  Ｒｅｆｌｅｘ）カメラにも同様に適用することができる。
【００９５】
以上のように各実施例によれば、固体撮像素子を用いた撮影系に好適なコンパクトで優れた光学性能を有する撮影レンズ及びそれを有する撮像装置が得られる。
【００９６】
本発明はこれらの実施例に限定されないことは言うまでもなく、その要旨の範囲内で種々の変形及び変更が可能である。
【符号の説明】
【００９７】
ＳＰ  絞り
ＩＰ  撮像面
Ｌ１  第１レンズ群
Ｌ２  第２レンズ群
Ｌ３  第３レンズ群
ＣＲ  移動機構
Ｋ２  第２レンズ群のレンズ鏡筒
Ｋ３  第３レンズ群のレンズ鏡筒
Ａ２  第２レンズ群の保持機構
Ａ３  第３レンズ群の保持機構
【図１】
2010191077.tif 000015
【図２】
2010191077.tif 000016
【図３】
2010191077.tif 000017
【図４】
2010191077.tif 000018
【図５】
2010191077.tif 000019
【図６】
2010191077.tif 000020
【図７】
2010191077.tif 000021
【図８】
2010191077.tif 000022
【図９】
2010191077.tif 000023
【図１０】
2010191077.tif 000024